(57)【要約】  ボックス部分（１２）と、容器後部壁を横切って延びるヒンジ線（１６）に沿ってボックス部分（１２）に接続されるリッド部分（１４）と、を備える消費者物品用の容器（１０）。リッド部分（１４）は、ヒンジ線（１６）を中心として閉位置と開位置との間で枢動可能であり、かつリッド上部壁（３０）、リッド後部壁（２８）、およびリッド上部壁（３０）とリッド後部壁（２８）とを接続するリッド後縁部分（３４）を備える。リッド後縁部分（３４）は、リッド後部壁（２８）の上縁部（３６）とリッド上部壁（３０）の後縁部（３８）との間に延びる。さらに、リッド後部壁（２８）の上縁部（３６）およびリッド上部壁（３０）の後縁部（３８）は湾曲しており、リッド後部壁（２８）の上縁部（３６）は、容器（１０）が直立位置にある時、容器の上部に向かって凸状であり、またリッド上部壁（３０）の後縁部（３８）は、容器（１０）が直立位置にあり、かつ容器（１０）の上部から見た時、容器（１０）の前部に向かって凸状である。【選択図】図１
2019504807.tif 000002
【特許請求の範囲】
【請求項１】
消費者物品用の容器であって、前記容器が、
ボックス部分と、
前記容器の後部壁を横切って延びるヒンジ線に沿って前記ボックス部分に接続されるリッド部分であって、前記リッド部分が前記ヒンジ線を中心として閉位置と開位置との間で枢動可能であり、かつリッド上部壁、リッド後部壁、および前記リッド上部壁と前記リッド後部壁とを接続するリッド後縁部分を備える、リッド部分と、を備え、
前記リッド後縁部分が前記リッド後部壁の上縁部と前記リッド上部壁の後縁部との間に延び、
前記リッド後部壁の前記上縁部および前記リッド上部壁の前記後縁部が湾曲し、前記容器が直立位置にあり、かつ前記容器の前記後部から見た時に前記リッド後部壁の前記上縁部が前記容器の上部に向かって凸状であり、また前記容器が前記直立位置にあり、かつ前記容器の前記上部から見た時に前記リッド上部壁の前記後縁部が前記容器の前部に向かって凸状である、容器。
【請求項２】
前記リッド後部壁の前記上縁部を画定する第一の虚弱線および前記リッド上部壁の前記後縁部を画定する第二の虚弱線を備え、前記第一の虚弱線および前記第二の虚弱線のうちの少なくとも１つが切除された線または筋付け線を備える、請求項１に記載の容器。
【請求項３】
前記第一の虚弱線および前記第二の虚弱線のうちの少なくとも１つが一定の曲率を有する円弧によって画定される、請求項２に記載の容器。
【請求項４】
前記第一の虚弱線および前記第二の虚弱線の両方がそれぞれの円弧によって画定され、各々の円弧が一定の曲率を有する、請求項３に記載の容器。
【請求項５】
前記第一の虚弱線および前記第二の虚弱線が同一の曲率半径を有する、または前記第一の虚弱線の曲率半径が前記第二の虚弱線の曲率半径より大きい、請求項４に記載の容器。
【請求項６】
前記第一の虚弱線の極大点と前記第二の虚弱線の極大点との間の距離が少なくとも約１ミリメートルである、請求項２〜５のいずれか１項に記載の容器。
【請求項７】
前記第一の虚弱線の極大点と前記第二の虚弱線の極大点との間の距離が約１５ミリメートル未満である、請求項２〜６のいずれか１項に記載の容器。
【請求項８】
前記第一の虚弱線の極大点と前記ボックス後部壁との間の距離が少なくとも約０．５ミリメートルであり、かつ前記第一の虚弱線の極大点と前記リッド前部壁との間の距離が少なくとも約２ミリメートルである、請求項２〜７のいずれか１項に記載の容器。
【請求項９】
前記第二の虚弱線の極大点と前記ボックス後部壁との間の距離が少なくとも約１ミリメートルであり、かつ前記第二の虚弱線の極大点と前記リッド前部壁との間の距離が少なくとも約１ミリメートルである、請求項２〜８のいずれか１項に記載の容器。
【請求項１０】
前記リッド部分が、前記容器の面取り付き縁部分または丸み付き縁部分を形成する第一の修正された縁部分によって前記リッド上部壁に接続されるリッド前部壁をさらに備える、請求項１〜９のいずれか１項に記載の容器。
【請求項１１】
前記ボックス部分がボックス前部壁を備え、かつ前記リッド部分がリッド前部壁を備え、その結果前記リッド部分が前記閉位置にある時、前記リッド前部壁が前記ボックス前部壁の上方部分の上になる、請求項１〜１０のいずれか１項に記載の容器。
【請求項１２】
前記ボックス前部壁から側方および外向きに延びる保持タブを少なくとも備え、前記リッド部分が前記開位置と前記閉位置との間を移動した時、前記保持タブが前記容器の前記リッド部分と相互作用する、請求項８に記載の容器。
【請求項１３】
前記リッド部分が、前記リッド前部壁と前記リッド後部壁との間に延びるリッド側壁を備え、さらに前記リッド部分が前記リッド側壁のうちの１つの中に切欠きを少なくとも備え、前記リッド部分が前記開位置と前記閉位置との間を移動する時に前記切欠きが前記保持タブと相互作用する、請求項９に記載の容器。
【請求項１４】
前記容器が喫煙物品を備える、請求項１〜１３のいずれか一項に記載の容器。
【請求項１５】
消費者物品用の容器を形成するためのブランクであって、前記ブランクが、
前記容器のボックス部分を形成するためのボックス画定ブランク部分と、
前記容器のリッド部分を形成するためのリッド画定ブランク部分と、を備え、
前記ボックス画定ブランク部分が、前記ボックス部分の後部壁を形成するための後部ボックス壁パネルを備え、かつ前記リッド画定ブランク部分が前記後部ボックス壁パネルを横切って延びるリッドヒンジ線に沿って前記ボックス画定ブランク部分に従属し、
前記リッド画定ブランク部分が、
リッド上部壁およびリッド後部壁をそれぞれ形成するために上部リッド壁パネルおよび上部後部壁パネルを備え、
第一の虚弱線が前記リッド後部壁パネルの上縁部を画定し、かつ第二の虚弱線が前記リッド上部壁パネルの前記後縁部を画定し、縁部画定ブランク部分が、前記組み立てられた容器において前記リッド上部壁と前記リッド後部壁とを接続するリッド後縁部分を形成するために前記第一の虚弱線と前記第二の虚弱線との間に延び、
前記第一の虚弱線および前記第二の虚弱線が両方とも前記ボックス画定ブランク部分に向かって凹状である、ブランク。
【発明の詳細な説明】
【技術分野】
【０００１】
本発明は、喫煙物品（例えば、紙巻たばこ）などの細長い消費財品目のための容器としての特定の用途がある、消費者物品用のヒンジリッド容器に関する。
【背景技術】
【０００２】
紙巻たばこおよび葉巻たばこなどの喫煙物品は、典型的には、剛直なヒンジリッド容器内にパッケージされる。これらは、典型的には、ボックス前部壁、ボックス後部壁、ボックス側壁、およびボックス底部壁を有するボックス部を有する。これらは、通常、リッド前部壁、リッド後部壁、リッド側壁、およびリッド上部壁を有するリッド部も有する。リッド部は、典型的には、容器の後部壁を横切って延びるヒンジ線に沿って前記ボックス部にヒンジ留めされる。ヒンジ線は、通常、予め折られた線、折り曲げ線、またはスコアラインとして提供される。ボックス部内に収容されている喫煙物品の束は、一般的に、金属化紙、金属箔、またはその他の柔軟なシート材料の内側ライナー、または内側パッケージ内に包まれる。内側ライナー内の喫煙物品の束にアクセスするには、消費者は、ヒンジリッド容器を初めて開封する際に、内側ライナーの上方部分を取り外すことになる。
【０００３】
ボックスおよびリッドのいくつかの隅角部に丸みをつけるまたは面取りして容器に特徴ある外観を与えることが知られている。これは、以前は、典型的には容器の縁部を形成する区域にブランクに筋付け線またはスコアラインなどの虚弱線を与えることによって実現されてきた。これらの虚弱線により、２つの隣接する平坦な壁の間で隅角が急に曲がる代わりに徐々に曲がるような方法でブランクを折り曲げることが可能になる。
【０００４】
さらに、例えば、国際特許公開公報第ＷＯ−Ａ−２０１４／２０６９３９号から、リッド部分の上部後縁部およびリッド部分とボックス部分との間のヒンジ線が湾曲し、かつ実質的に同一の曲率半径を有する容器が周知である。従って、容器の上端部に凸状形状（容器の外部から見た時）が形成されてもよく、この形状は、リッドを閉位置に保持する役に立つ場合がある弾力性のある回復力を作り出す。
【発明の概要】
【発明が解決しようとする課題】
【０００５】
消費者物品用の新規でかつ改善された、容器の偶発的な開放が発生する可能性が低いようにリッドが容易に密接に閉じた位置に保持される、ヒンジリッド容器を提供することが望ましいことになる。さらに、単一の柔軟な層状ブランクから製造されてもよい消費者物品用の１つのこうした容器を提供することが望ましい。
【０００６】
さらに、特徴ある視覚的インパクトを有し、かつ既存の梱包装置のいかなる大規模な修正も必要とすることなく容易に製造することができる消費者物品用の容器を提供することが望ましいことになる。さらに、組み立てられた容器へと容易に形成することができる、１つのこうした容器を製造するためのブランクを提供することが望ましいことになる。
【課題を解決するための手段】
【０００７】
本発明の第一の態様によると、消費者物品用の容器が提供され、この容器はボックス部分および容器の後部壁を横切って延びるヒンジ線に沿ってボックス部分に接続されたリッド部分を備え、このリッド部分は、ヒンジ線を中心として閉位置と開位置の間で枢動可能である。リッド部分は、リッド上部壁、リッド後部壁、およびリッド上部壁とリッド後部壁とを接続するリッド後縁部分を備える。リッド後縁部分は、リッド後部壁の上縁部とリッド上部壁の後縁部との間に延びる。さらに、リッド後部壁の上縁部およびリッド上部壁の後縁部は湾曲している。容器が直立位置にあり、かつ容器の後部から見た時、リッド後部壁の上縁部は容器の上部に向かって凸状である。容器が直立位置にあり、かつ容器の上部から見た時、リッド上部壁の後縁部は、容器の前部に向かって凸状である。
【０００８】
本発明のさらなる態様によると、消費者物品用の容器を形成するためのブランクが提供され、このブランクは、容器のボックス部分を形成するためのボックス画定ブランク部分と、容器のリッド部分を形成するためのリッド画定ブランク部分と、を備える。ボックス画定ブランク部分は、ボックス部分の後部壁を形成するための後部ボックス壁パネルを備え、かつリッド画定ブランク部分は後部ボックス壁パネルを横切って延びるリッドヒンジ線に沿ってボックス画定ブランク部分に従属する。リッド画定ブランク部分は、リッド上部壁とリッド後部壁をそれぞれ形成するための、上部リッド壁パネルと後部壁パネルとを備える。さらに、リッド画定ブランク部分は、リッド後部壁パネルの上縁部を画定する第一の虚弱線、およびリッド上部壁パネルの後縁部を画定する第二の虚弱線を備え、縁部画定ブランク部分は、組み立てられた容器内にリッド上部壁とリッド後部壁とを接続するリッド後縁部分を形成するために第一の虚弱線と第二の虚弱線との間に延びる。ブランクが平坦な状態にある時、第一の虚弱線および第二の虚弱線は、両方ともボックス画定ブランク部分に向かって凹状である。
【０００９】
当然のことながら、本発明の１つの態様に関連して説明した任意の特徴は、本発明のその他の任意の態様にも等しく適用できる。
【００１０】
従来のヒンジリッド容器とは対照的に、本発明による容器では、リッド後縁部分はリッド上部壁とリッド後部壁とを接続する。より詳細には、リッドの縁部分は、リッド後部壁の上縁部とリッド上部壁の後縁部との間に延びる。リッド後部壁の上縁部およびリッド上部壁の後縁部は両方とも湾曲している。リッド後部壁の上縁部は容器のリッド部分に向かって凸状であり、一方でリッド上部壁の後縁部は容器の前部に向かって凸状である。これは本質的に、容器がこれによって形成されるブランク内に、１対の湾曲した虚弱線を形成することによって実現されてもよく、両方の虚弱線は、ブランクが平坦な状態にある時、ブランクのボックス画定部分に向かって凹状になる。従って、ブランクを折り曲げることによって容器が形成された時、実質的に凸状（容器の外部から見た時）のリッド後縁部分が簡単に得られる。
【００１１】
組み立てられた容器では、リッド後縁部分は、リッド上部後縁部分の表面がリッドの上部および前部に向かって本質的に凸状である形状を取るように、リッド後部壁の湾曲した上縁部とリッド上部壁の湾曲した後縁部との間に滑らかな移行を提供する。こうしたリッド上の凸状の形状変形は、有利なことにリッドにボックス部分に向かって曲げるための傾きをもたらす物理的な前方への引張力を作り出す場合がある。その結果として、こうしたリッド形状の構成は、ヒンジリッドが閉位置にある時に容器を密接に閉じた状態で保持する傾向がある。このことは、単一のブランクからの消費者物品用のヒンジリッド容器の製造を可能にし、リッド前部壁はボックス前部壁に部分的に重なる。上述の物理的な前方への引っ張り力は、有利なことにリッド前部壁がボックス前部壁に対して置かれ、かつ容器の良好な閉鎖を確保するように保持する傾向があり、その結果消費財の全ての部分が容器の中に保持される。例えば、容器が喫煙物品用に使用される時、有利なことに、使用の間に運搬している間にいかなるたばこショートも容器から抜け出ることがないことを確保する。同時に、この構成は、好都合なことにリッドをリッド前部壁の下端によって開放することができるので、消費者が容器を片手で保持および開放することをはるかに簡単にする。
【００１２】
一方で、容器がボックス部分の上縁部の上方に延び、かつリッドに対する当接表面を画定する上方部分を含む内側フレームを備えるそれらの実施形態では、リッド後縁部分の凸状形状によって生成された弾性力は、有利なことに、いわゆる「スマイリング効果（smiling effect）」、すなわち、リッド前部壁が内側フレームの上方部分に対して置かれる際の容器のリッドとボックス部分との間のわずかな不整合の発生のあらゆる傾向に反対行動をとる場合がある。
【００１３】
本発明は、有利なことに、特徴ある視覚的インパクトを有する容器を提供する。さらに、上述の凸状形状が他の丸み付きまたは面取りした隅角部と組み合わせられる実施形態では、有利なことに、特に人間工学的な形状を消費者に提供することができる。
【００１４】
本発明による容器を単一の層状ブランクから製造するのは簡単である。一部の好ましい実施形態では、有利なことに、虚弱線はこれらを簡単に良好な精度で形成できるようにする切除された線として提供されてもよい。さらに、これは容器の外部表面がいかなる隆起部または破れも無い滑らかな外観を維持できるようにする。ひいては、容器の視覚的および触覚的な知覚は有利なことに影響を受けない。
【００１５】
本明細書で使用される場合、「前部」、「後部」、「上側」、「下側」、「上部」、「下部」、および「側部」という用語は、リッドが閉位置にあり、かつヒンジ線が容器の後部にある、容器が直立した位置にある時の、本発明による容器およびその構成要素の部分の相対的な位置を意味する。本発明による容器を記述する時、描写する容器の向きに関係なく、これらの用語が使用される。外側ハウジングの後部壁は、ヒンジ線を含む壁である。
【００１６】
「ヒンジ線」という用語は、容器を開くために、これを中心としてリッドが枢動しうる線を意味する。ヒンジ線は、例えば、容器の後部壁を形成するパネル内の折り目またはスコアラインであってもよい。本発明によるブランクでは、ヒンジ線は、組み立てられた容器でリッド後部壁の上縁部およびリッド上部壁の後縁部を画定する第一の虚弱線および第二の虚弱線とは明らかに異なる。ヒンジ線は、容器の後部壁を一方の側壁からもう一方の側壁へと横切って延び、かつ直線状であることが好ましい。
【００１７】
「内部表面」という用語は、本明細書全体を通して、容器が閉位置にある時に、その容器の内部に面する（例えば、消費者物品に面する）組立済み容器の構成要素の表面を意味するために使用される。同様に、「外部表面」という用語は、本明細書全体を通して、その容器の外部に向かって面する容器の構成要素の表面を意味するために使用される。注目すべきは、内側表面または外側表面は容器の組立に使用されるブランクの一定の側には必ずしも相当しないことである。ブランクがどのように折り曲げられるかに応じて、容器の同じ側にある区域は、容器の内側に面する可能性も外側に面する可能性もある。
【００１８】
「長軸方向」という用語は下部から上部またはその反対の方向を意味する。「横断方向」という用語は、長軸方向と直角を成す方向を意味する。
【００１９】
本明細書で使用される場合、「湾曲した」という用語はあらゆる真っ直ぐでない線を意味する。リッド後部壁の上縁部およびリッド上部壁の後縁部を画定する虚弱線は、任意の好適な湾曲であってもよい。しかし、湾曲はその長さに沿って単一の極大点または極小点を有することが好ましい。すなわち、湾曲は全湾曲長さ以上の波長を有することが好ましい。湾曲の曲率はその長さに沿って一定であってもよく、一定でなくてもよい。湾曲は容器の側壁の間で対称であることが好ましい。これらは、放物曲線、双曲線、楕円曲線、および対数曲線を含むがこれらに限定されない任意の好適な湾曲であってもよい。リッド後部壁の上縁部およびリッド上部壁の後縁部を画定する線は、円弧を含むことが好ましい。円弧は円周の断片である。
【００２０】
本明細書では、容器の縁部などの要素は、こうした要素の形状と等しいまたは形状を近似する円弧の曲率の中心が基準点と反対の方向にあり、その結果容器の要素は基準点に向かって実際上湾曲する場合、基準点「に向かって凸状」と記述される。そのありとあらゆる１つの接線の片側の上に完全に置かれている曲線という、ユークリッドの「凸状曲線」の定義を参考にすることができる。ひいては、この文脈では、「凸状」という用語は、その長さに沿って単一の極大点または極小点を有する湾曲を記述するために使用されることと理解されることになる。例として、容器が直立位置にあり、かつ容器の後部から見た時、容器ではリッド後部壁の縁部は容器の上部に向かって凸状であってもよい。これは、縁部の形状と等しいまたは縁部の形状を近似する円弧の曲率の中心が容器の下部に向かうことを意味する。従って、縁部は容器の上部に向かって実際上湾曲する。対応するやり方では、容器が直立位置にあり、かつ容器の上部から見た時、容器の上部壁の縁部は容器の前部に向かって凸状であってもよい。これは、縁部の形状と等しいまたは縁部の形状を近似する円弧の曲率の中心が容器の後部に向かうことを意味する。従って、縁部は容器の前部に向かって実際上湾曲する。
【００２１】
本明細書で使用される場合、「筋付け線」という用語は、容器を形成する層状ブランクに沿った線を指し、これを中心としてブランクを折り曲げることができるブランクの虚弱線を形成するために、例えば、機械的なプレス加工またはロール加工によって機械的に変形されている。特に、筋付け線は材料を取り除くことなく形成される虚弱線である。
【００２２】
本明細書で使用される場合、「切除された線」という用語は、これに沿って層状ブランクまたは容器の表面から材料が切除された（例えば、レーザービームまたはブレードによって取り除かれた）線を指す。従って、切除された線の残厚は、層状ブランクの厚さより薄い。例えば、切除された線は、ブランクの中の溝として提供されてもよい。これは、レーザーまたはブレードなどの線形切除ツールを用いて形成されてもよい。
【００２３】
本明細書で使用される場合、「残厚」という用語は、層状ブランクまたはブランクから形成された容器の壁の２つの相反する表面の間を測定した最小距離を指す。実際には、所与の位置の距離は、相反する面に対して局所的に垂直方向に測定される。切除された線の「残厚」は、材料が切除された線のすべてにわたり実質的に均一に除去された場合、切除された線にわたり一定である場合がある（平坦な断面）。あるいは、切除された線の残厚は、材料が切除された線にわたり非均一に除去された場合、切除された線の幅を横切って変化する場合がある（例えば、Ｖ型、Ｕ型の溝）。
【００２４】
本発明による容器は、最も一般的に言うと、ボックス部分と、容器の後部壁を横切って延びるヒンジ線を中心として開位置と閉位置との間で枢動可能なリッド部分と、を備える。リッド部分は、リッド上部壁、リッド後部壁、およびリッド上部壁とリッド後部壁とを接続するリッド後縁部分を備える。リッド後縁部分は、リッド後部壁の上縁部とリッド上部壁の後縁部との間に延びる。リッド後部壁の上縁部およびリッド上部壁の後縁部は両方とも湾曲している。リッド後部壁の上縁部は容器のリッド部分に向かって凸状である。すなわち、湾曲と等しいまたは湾曲を近似する円弧の曲率の中心はボックス部分の方向（すなわち、容器の下部）にあり、その結果リッド後部壁の上縁部はリッド部分に向かって湾曲する。さらに、リッド上部壁の後縁部は容器の前部に向かって凸状である。すなわち、湾曲と等しいまたは湾曲を近似する円弧の曲率の中心はボックス後部壁の方向（すなわち、容器の後部）にあり、その結果リッド上部壁の後縁部はリッド前部壁に向かって湾曲する。容器は、リッド後部壁の上縁部を画定する第一の虚弱線、およびリッド上部壁パネルの後縁部を画定する第二の虚弱線を備えることが好ましい。リッド後縁部分は、従って第一の虚弱線と第二の虚弱線との間に本質的延び、かつ有利なことに容易に画定される。第一の虚弱線および第二の虚弱線は、容器がこれから組み立てられるブランクの中に予め形成されるので、ブランクを所望の形状へと折り曲げた際に、リッド後縁部分は所望の凸状形状を有して容易に形成される。
【００２５】
第一の虚弱線および第二の虚弱線の１つひとつを画定する湾曲は、その長さに沿って単一の極大点または極小点を有することが好ましい。
【００２６】
第一の虚弱線および第二の虚弱線のうちの少なくとも１つは、一定の曲率を有する円弧によって画定されることが好ましい。
【００２７】
第一の虚弱線および第二の虚弱線の両方はそれぞれの円弧によって画定され、各々の円弧は一定の曲率を有することがより好ましい。従って、第一の虚弱線および第二の虚弱線の１つひとつは、単一の極大点を有する。
【００２８】
第一の虚弱線と第二の虚弱線との両方は、容器の側壁の間で実質的に対称であることが好ましい。従って、第一の虚弱線の極大点および第二の虚弱線の極大点はボックス前部壁およびボックス後部壁と直角をなす方向に関して、互いに実質的に整列する。
【００２９】
一部の好ましい実施形態では、第一の虚弱線および第二の虚弱線を画定する円弧は同一の曲率半径を有する。ひいては、容器を形成するためのブランク内の第一の虚弱線および第二の虚弱線は、互いに実際上平行である。代替的な実施形態では、第一の虚弱線の曲率半径は第二の虚弱線の曲率半径より大きい。
【００３０】
第一の虚弱線の極大点と第二の虚弱線の極大点との間の距離は、少なくとも約１ミリメートルであることが好ましい。第一の虚弱線の極大点と第二の虚弱線の極大点との間の距離は、少なくとも約５ミリメートルであることがより好ましい。
【００３１】
追加的にまたは代替として、第一の虚弱線の極大点と第二の虚弱線の極大点との間の距離は、約１５ミリメートル未満である。第一の虚弱線の極大点と第二の虚弱線の極大点との間の距離は、好都合なことに平坦な状態にあるブランク上で長軸方向で測定されてもよい。
【００３２】
第一の虚弱線の極大点とボックス後部壁との間の距離は、少なくとも約０．５ミリメートルであることが好ましい。追加的にまたは代替として、第一の虚弱線の極大点とリッド前部壁との間の距離は、少なくとも約２ミリメートルであることが好ましい。
【００３３】
さらに、第二の虚弱線の極大点とボックス後部壁との間の距離は、少なくとも約１ミリメートルであることが好ましい。追加的にまたは代替として、第二の虚弱線の極大点とリッド前部壁との間の距離は、少なくとも約１ミリメートルであることが好ましい。
【００３４】
虚弱線の極大点とボックス後部壁との間の距離は、実質的に虚弱線によって画定される縁部の最も高い点とボックス後部壁によって画定される平面との間の距離であり、またボックス前部壁およびボックス後部壁と直角をなす方向に沿って測定される。虚弱線の極大点とリッド前部壁との間の距離は、実質的に虚弱線によって画定される縁部の最も高い点とリッド前部壁によって画定される平面との間の距離であり、またリッド前部壁およびリッド後部壁と直角をなす方向に沿って測定される。
【００３５】
第一の虚弱線および第二の虚弱線は１つひとつ異なる好適なやり方で独立して形成されてもよい。第一の虚弱線および第二の虚弱線は１つひとつ、筋付け線または切除された線として形成されることが好ましい。
【００３６】
本発明による容器を形成するためのブランクの内部表面から、切除ツール（例えば、レーザー、ブレード）によって材料を除去することが好都合な場合がある。レーザーツールに必要とされる調整は最小で、幅広い種類の切除プロファイルおよび構成を可能にすることができる切除ツールとして、レーザーが特に好ましい。例えば、レーザーは、ブランクの所与の位置を繰り返し通過して、異なる量の材料を繰り返し除去することができ、非常に細かく制御された切除プロファイルを可能にする。
【００３７】
一部の好ましい実施形態では、第一の虚弱線と第二の虚弱線との両方は、筋付け線として形成される。他の実施形態では、代替として、第一の虚弱線と第二の虚弱線との両方は、切除された線として形成される。
【００３８】
第一の虚弱線および第二の虚弱線は、各々円弧を含むことが好ましい。リッド後部壁の上縁部およびリッド上部壁の後縁部の各々の曲率半径の長さは、容器の幅の約０．５〜約３倍であることが好ましい。
【００３９】
一部の好ましい実施形態では、容器のリッド部分は、容器の面取り付き縁部分を形成する第一の修正された縁部分によってリッド上部壁に接続されるリッド前部壁をさらに備える。代替として、第一の修正された縁部分は、容器の丸み付き縁部分を形成してもよい。面取り付きまたは丸み付きの容器の前部上縁を提供することが、容器に特に人間工学的な形状を付与するので、これは有利である。容器の１つのこうした面取り付きリッド前縁部分は、有利なことに、リッド前縁部分の内部表面上に切除線を形成することによって得られる。
【００４０】
一部の好ましい実施形態では、ボックス部分はボックス前部壁を備え、かつリッド部分はリッド前部壁を備え、その結果リッド部分が閉位置にある時、リッド前部壁がボックス前部壁の上方部分の上になる。これらは、典型的には容器が単一のブランクから形成される実施形態である（すなわち、内側フレームを有しない容器）。しかし、本発明による容器も内側フレームを備えてもよい。その場合、閉位置にある時、リッドはボックス前部壁の上縁部の上方に延びる内側フレームの一部分に対して置かれ、その結果リッド前部壁はボックス前部壁と実質的に整列し、かつ容器はユーザーに実質的に平坦な表面を呈する。
【００４１】
本発明による容器は、少なくともボックス前部壁から側方および外向きに延びる保持タブを備え、リッド部分が開位置と閉位置との間で移動した時、保持タブは容器のリッド部分と相互作用することが好ましい。保持タブとリッド部分との間の協働がリッド部分を閉位置に保持するために役立つ場合があるので、これは有利である。
【００４２】
リッド部分はリッド前部壁とリッド後部壁との間に延びるリッド側壁を備え、リッド部分はリッド側壁のうちの１つの中に少なくとも切欠きをさらに備え、リッド部分が開位置と閉位置との間で移動する時に切欠きは保持タブと相互作用することがより好ましい。例えば、保持タブは、さらにリッドを閉位置に固定する役に立つ場合がある切欠きの中へと受けられてもよい。さらに、保持タブの切欠きとの相互作用は、有利なことに、リッドが閉位置に固定されていることの聴覚的な表示と関連付けられてもよい。
【００４３】
本発明による容器には、消費財用の容器、特に喫煙物品などの細長い消費財用の容器としての用途がある。しかし、これはいくつかの他のタイプの消費財用にも使用することができる。
【００４４】
ブランクは、厚紙、板紙、プラスチック、金属、またはその組み合わせを含むがこれに限定されない、任意の好適な材料または材料の組み合わせから形成されてもよい。ブランクは、約１００グラム／平方メートル〜約３５０グラム／平方メートルの重さを持つ層状の厚紙ブランクであることが好ましい。ブランクの厚さ（Ｔ）は少なくとも約２００マイクロメートルであることが好ましい。
【００４５】
容器は、随意に外側ラッパーを備えてもよく、これは、例えば、高密度ポリエチレンまたは低密度ポリエチレン、ポリプロピレン、方向性ポリプロピレン、ポリ塩化ビニリデン、セルロースフィルム、またはその組み合わせなどの透明高分子フィルムであることが好ましく、また外側ラッパーは、従来的な方法で適用される。外側ラッパーは開封テープを含んでもよい。さらに、外側ラッパーは画像、消費者情報、またはその他のデータを印刷されていてもよい。
【００４６】
さらに、消費者物品は、金属箔または金属化紙で形成される内側パッケージに包まれた束の形態で容器内に提供されていてもよい。内側パッケージ材料は、金属化ポリエチレンフィルムおよびライナー材料の積層として形成されてもよい。ライナー材料は、スーパー仕上げグラシンペーパーでもよい。さらに、内側パッケージ材料には、印刷受容性のトップコートを提供してもよい。内側パッケージは、容器のリッドがそれぞれの開位置にある時に、ここを通して消費財を取り出すことができるアクセス開口部を有する。
【００４７】
容器は、幅の狭い２つの壁によって間隙を介した幅の広い２つの壁を備える、直方体であることが好ましい。本発明によるヒンジリッド容器は、直角の長軸方向の縁部と直角の横断方向の縁部とを有する直方体の形状であってもよい。別の方法として、ヒンジリッド容器は、１つ以上の長軸方向の丸みのある縁部、横断方向の丸みのある縁部、長軸方向の面取り付きの縁部、または横断方向の面取り付きの縁部、またはその組み合わせを備えてもよい。例えば、本発明によるヒンジリッド容器は、以下を備えてもよいが、これらに限定されない。
−前部壁上の１つまたは２つの長軸方向の丸み付きの縁部、および／または後部壁上の１つまたは２つの長軸方向の丸み付きの縁部もしくは面取り付きの縁部。
−前部壁上の１つまたは２つの横断方向の丸み付きの縁部、および／または後部壁の１つまたは２つの横断方向の丸み付きの縁部もしくは面取り付きの縁部。
−前部壁上の１つの長軸方向の丸み付きの縁部および１つの長軸方向の面取り付きの縁部、ならびに／または後部壁の１つの横断方向の丸み付きの縁部および１つの横断方向の面取り付きの縁部。
−前部壁上の１つまたは２つの横断方向の丸み付きの縁部もしくは面取り付きの縁部、および前部壁上の１つまたは２つの長軸方向の丸み付きの縁部もしくは面取り付きの縁部。
−第一の側壁上の２つの長軸方向の丸み付きの縁部もしくは面取り付きの縁部、または第二の側壁上の２つの横断方向の丸み付きの縁部もしくは面取り付きの縁部。
【００４８】
容器が１つ以上の面取り付きの縁部を備える場合、面取り付きの縁部の幅は、約１ｍｍ〜約１０ｍｍであることが好ましく、約２〜約６ｍｍであることが好ましい。別の方法として、容器は、２つ以上の別々の面取りが容器の少なくとも１つの縁部上に形成されるように間隔を置いた、平行な筋付け線またはスコアラインによって形成された複数の面取り付きの縁部を備えてもよい。
【００４９】
別の方法として、容器は、例えば、多角形（三角形または六角形など）、半楕円形、または半円形といった、非長方形の横断断面を有してもよい。
【００５０】
本発明による容器は、細長い喫煙物品（例えば、紙巻たばこ、葉巻たばこ、またはシガリロなど）用のパックとしての特定の用途がある。当然のことながら、その寸法を適切に選択することにより、本発明による容器は、異なる数の従来サイズ、キングサイズ、スーパーキングサイズ、スリムまたはスーパースリムの紙巻たばこ用に設計されてもよい。別の方法として、その他の消費財を容器内に収容してもよい。
【００５１】
寸法の適切な選択によって、本発明による容器は、異なる合計数の喫煙物品、または異なる配置の喫煙物品を保持するように設計されてもよい。例えば、寸法の適切な選択によって、本発明による容器は、合計１０〜３０本の喫煙物品を保持するように設計されてもよい。
【００５２】
喫煙物品は、喫煙物品の合計数に応じて、異なる並べ方で配置されてもよい。
【００５３】
本発明による容器は、同一のタイプもしくはブランドの喫煙物品、または異なるタイプもしくはブランドの喫煙物品を保持してもよい。さらに、フィルターなし喫煙物品および各種フィルターチップ付きの喫煙物品の両方を含んでもよいだけでなく、異なる長さ（例えば、約４０ｍｍ〜約１８０ｍｍ）、直径（例えば、約４ｍｍ〜約９ｍｍ）の喫煙物品も含んでもよい。容器の寸法は、喫煙物品の長さ、および喫煙物品の並べ方に適合させることが好ましい。典型的には、容器の外部寸法は容器の内側に収容される喫煙物品の束（複数可）の寸法よりも約０．５ｍｍ〜約５ｍｍだけ大きい。
【００５４】
本発明による容器の長さ、幅、および奥行きは、容器の結果的な全体的寸法が、２０本の紙巻たばこの典型的な使い捨てパックの寸法と類似するような寸法としてもよい。
【００５５】
本発明による容器の高さは約６０ｍｍ〜約１５０ｍｍであることが好ましく、高さは約７０ｍｍ〜約１２５ｍｍであることがより好ましく、高さは、容器の下部壁から上部壁まで測定される。
【００５６】
本発明による容器の幅は約１２ｍｍ〜約１５０ｍｍであることが好ましく、幅は約５５ｍｍ〜約１２５ｍｍであることがより好ましく、幅は、容器の一方の側壁から他方の側壁まで測定される。
【００５７】
本発明による容器の奥行きは約６ｍｍ〜約１５０ｍｍであることが好ましく、奥行きは約１２ｍｍ〜約２５ｍｍであることがより好ましく、奥行きは、容器の前部壁から後部壁まで測定される。
【００５８】
容器の高さに対する容器の奥行きの比は、約０．３対１〜約１０対１であることが好ましく、約２対１〜約８対１であることがより好ましく、約３対１〜５対１であることが最も好ましい。
【００５９】
容器の幅に対する容器の奥行きの比は、約０．３対１〜約１０対１であることが好ましく、約２対１〜約８対１であることがより好ましく、約２対１〜３対１であることが最も好ましい。
【００６０】
リッド後部壁の高さの、外側スリーブのボックス後部壁の高さに対する比は、約０対１（リッドが容器の上縁部に位置する）〜約１対１であることが好ましく、約１対５〜約１対１０であることがより好ましく、約１対６〜約１対８であることが最も好ましい。
【００６１】
外側スリーブのリッド前部壁の高さの、外側スリーブのボックス前部壁の高さに対する比は、約１対０（リッドが前部壁全体を覆う）〜約１対１０であることが好ましく、約１対１〜約１対５であることがより好ましく、約１対２〜約１対３であることが最も好ましい。
【００６２】
本発明による容器の外部表面は、製造者またはブランドのロゴ、商標、スローガン、ならびにその他の消費者情報およびしるしを含む、印刷、エンボス加工、デボス加工、またはその他の方法で装飾されてもよい。
【００６３】
本発明による容器は、容器のボックス部分を形成するためのボックス画定ブランク部分と容器のリッド部分を形成するためのリッド画定ブランク部とを備えるブランクを折り曲げることによって形成されてもよい。ボックス画定ブランク部分は、ボックス部分の後部壁を形成するための後部ボックス壁パネルを備え、かつリッド画定ブランク部分は後部ボックス壁パネルを横切って延びるリッドヒンジ線に沿ってボックス画定ブランク部分に従属する。リッド画定ブランク部分は、それぞれリッド上部壁およびリッド後部壁を形成するために上部リッド壁パネルおよび後部壁パネルを備え、第一の虚弱線はリッド後部壁パネルの上縁部を画定し、また第二の虚弱線はリッド上部壁の後縁部を画定し、縁部画定ブランク部分は、組み立てられた容器においてリッド上部壁とリッド後部壁とを接続するリッド後縁部分を形成するために第一の虚弱線と第二の虚弱線との間に延びる。第一の虚弱線および第二の虚弱線は、ブランクが平坦な状態にあるときは、両方ともブランクのボックス画定ブランク部分に向かって凹状である。
【００６４】
本発明を、添付の図面の図を参照しながら、例証としてのみではあるがさらに記述する。
【図面の簡単な説明】
【００６５】
【図１】図１は、本発明による消費者物品用の容器の概略的な斜視図を示す。
【図２】図２は、図１の容器の概略的な側面図を示す。
【図３】図３は、本発明による容器のために変形を形成するためのブランクの上面図を示す。
【発明を実施するための形態】
【００６６】
図１および図２に示された容器１０は本質的に直方体の形状であり、ボックス部分１２と、および容器１０の後部壁を横切って延びるヒンジ線１６に沿ってボックス部分１２に接続されたリッド部分１４と、を含む。容器１０は単一のブランクで形成される。容器１０のボックス１２およびリッド１４の全体的なサイズおよび構造は、標準的なヒンジリッド紙巻たばこパックのものと実質的に同一である。ボックス部分１２は、ボックス前部壁２０、ボックス後部壁２２、ボックス下部壁、ボックス左側壁２４、およびボックス右側壁を備える。リッド部分１４は、リッド前部壁２６、リッド後部壁２８、リッド上部壁３０、リッド左側壁３２、およびリッド右側壁を備える。リッド部分１４は、閉位置と開位置との間でヒンジ線１６を中心として枢動可能である。閉位置では、図１および図２に図示されるように、リッド部分１４は容器１０のアクセス開口部を覆い、ヒンジリッドの側壁がボックス部分の対応する側壁の延長を形成し、一方でリッド前部壁２６はボックス前部壁２０と部分的に重なる。開位置（図示せず）では、リッド部分１４はボックス部分１２から後ろ向きに突出するように枢動され、またボックス部分１２の上端部におけるアクセス開口部は、完全にむき出しになる。
【００６７】
さらに、リッド部分１４は、リッド上部壁３０とリッド後部壁２８とを接続するリッド後縁部分３４を備える。図１に図示するように、リッド後縁部分３４は、リッド後部壁２８の上縁部３６とリッド上部壁３０の後縁部３８との間に延びる。リッド後部壁２８の上縁部３６およびリッド上部壁の後縁部３８は湾曲している。リッド後部壁２８の上縁部３６は容器のリッド部分１４に向かって凸状であり、またリッド上部壁３０の後縁部３８は容器の前部に向かって凸状である。
【００６８】
リッド後部壁２８の上縁部３６およびリッド上部壁３０の後縁部３８は、容器１０を形成するブランクの内部表面上のレーザー切除によって形成されるそれぞれの虚弱線によって画定される。
【００６９】
本発明による容器の変形のボックス部分１２およびリッド部分１４は、図３に示される単一の層状ブランク３００から一緒に形成されてもよい。層状ブランク３００は、標準的な装置を使用して組み立ておよび充填されてもよい。図３から見られるように層状ブランク３００は、容器のボックス部分を形成するためのボックスブランク部分３００１と、容器のリッド部分を形成するためのリッドブランク部分３００２と、を備える。ボックスブランク部分３００１は、ヒンジ線３００３に沿ってリッドブランク部分３００２に従属する。
【００７０】
ボックスブランク部分３００１は、前部壁パネル３０８、後部壁パネル３１２、および下部壁パネル３０９を備える。２つの側壁パネル３１０は、前部壁パネル３０８から延び、２つの側壁パネル３１１は後部壁パネル３１２から延び、２つのボックスダストフラップ３１３は側壁パネル３１１から延びる。容器のボックス部分がボックスブランク部分３００１から組み立てられた時、前部壁パネル３０８は容器前部壁を形成し、後部壁パネル３１２は容器後部壁を形成し、側壁パネル３１０および３１１は重なって左側および右側の容器壁を形成し、ボックスダストフラップ３１３は下部壁パネル３０９と重なって容器下部壁を形成する。側壁パネル３１０、３１１は相互に実質的に同一のサイズおよび形状である。容器が形成された時、側壁パネル３１０、３１１は、それらの自由縁部が実質的に整列して互いに直接重なっており、その結果内側側壁パネルはほとんど見えない。ボックスダストフラップ３１３は、下部壁パネル３０９より小さい。容器が形成された時、ボックスダストフラップ３１３は下部壁パネル３０９の内側になる。これらは容器の下部壁に対して追加的な構造的な支持を提供するが、容器の外側からは見えない。
【００７１】
リッドブランク部分３００２は、前部壁パネル３１４、後部壁パネル３１８、および上部壁パネル３２０を備える。２つの側壁パネル３１６は、前部壁パネル３１４から延び、２つの側壁パネル３１７は後部壁パネル３１８から延び、リッドダストフラップ３１９は側壁パネル３１７から延びる。容器のリッド部分がリッドブランク部分３００２から組み立てられた時、前部壁パネル３１４は容器前部壁を形成し、後部壁パネル３１８は容器後部壁を形成し、側壁パネル３１６および３１７は重なって左側および右側の容器壁を形成し、リッドダストフラップ３１９は上部壁パネル３２０と重なってリッド上部壁を形成する。側壁パネル３１６、３１７は相互に実質的に同一のサイズおよび形状である。容器が形成された時、パネル３１６、３１７はそれらの自由縁部が実質的に整列して互いに直接重なっており、その結果内側側壁パネルはほとんど見えない。リッドダストフラップ３１９は、上部壁パネル３２０より小さい。容器が形成された時、リッドダストフラップ３１９は上部壁パネル３２０の内側になる。これらは容器の（リッド）上部壁に追加的な構造的な支持を提供するが、容器の外側からは見えない。
【００７２】
さらに、リッドブランク部分３００２はリッド後部壁パネル３１８の上縁部を画定する第一の虚弱線３２２を備え、かつ第二の虚弱線３２１はリッド上部壁パネル３２０の後縁部を画定する。さらに、リッドブランク部分３００２は、リッド後縁部分を形成するための第一の虚弱線３２１と第二の虚弱線３２２との間に延びる縁部画定ブランク部分３２４を備え、これは組み立てられた容器においてリッド上部壁とリッド後部壁とを接続する。
【００７３】
図３に図示された実施形態では、第一の虚弱線３２１および第二の虚弱線３２２の１つひとつは切除された線を備える。
【００７４】
切断線３１５は、切断線３０９が側壁パネル３１０のうちの１つがこれに沿って前部壁パネル３０８に従属する折り目と交差するように、ボックスブランク部分３００１の中に形成される。組み立てられた容器では、切断線３１５は、リッド部分が開位置と閉位置との間で移動した時、保持タブがリッド部分と相互作用するように、ボックス前部壁から外向きに延びる保持タブを画定する。
【００７５】
さらに、切欠き３２５が、組み立てられた容器内でリッド部分が開位置と閉位置との間で移動した時、切断線３１５によって画定される保持タブが切欠き３２５と相互作用するような場所において、リッドブランク部分３００２内に形成される。特に組み立てられた容器では、切欠きは、保持タブがその中へと部分的に受けられてもよい陥凹部を画定する。保持タブと切欠きとの間の協働は、リッドを閉位置に保持する役に立ち、また閉鎖の聴覚的な表示の生成と関連付けられてもよい。
【００７６】
図３に図示されるように、本発明による容器を形成するためのブランクは、ボックス下部壁パネル３０９とボックス前部壁パネル３０８とボックス後部壁パネル３１２とのそれぞれの間などに、容器の修正された縁部分をさらに画定するスコアラインまたは切除された線を備えてもよい。図３の実施形態では、こうした修正された縁部分をもう１つ、リッド上部壁パネル３２０とリッド前部壁パネル３１４との間にも提供する。こうした場所に提供されたスコアラインまたは切除された線のおかげで、容器を形成するためにブランク３００が折り曲げられた時、丸み付き縁部が得られる。リッドに丸み付き前部上部縁部を提供することは、リッド後縁部分に関連して特に人間工学的形状を本発明による容器に与えるために貢献する。
【図１】
2019504807.tif 000003
【図２】
2019504807.tif 000004
【図３】
2019504807.tif 000005
【国際調査報告】
2019504807.tif 000006
2019504807.tif 000007